(57)【要約】【課題】  扉の取付け後に取り付け部材にカバーを被せることができる冷蔵庫の扉のヒンジ構造を提供する。【解決手段】  冷蔵庫１０のキャビネット１２に取り付けられた扉２６の下ヒンジ部材３８は、キャビネット１２にネジ６０，６２，６４で固定される取り付け部材４４と、取り付け部材４４から前方に突出した軸支持部４８と、軸支持部４８から上方に突出した下ヒンジ軸５０と、取り付け部材４４又は軸支持部４８から突出し、扉２６と係合する係合フック６６と、係合フック６６を除く取り付け部材４４の前面と、軸支持部４８の前面と、軸支持部４８の外側面を覆う２つのカバー４６，４７とを有する。【選択図】      図３
2014047978.tif 000002
【特許請求の範囲】
【請求項１】
冷蔵庫のキャビネットに設けられた貯蔵室の前面を開閉する扉の上部を回動自在に支持するために、前記キャビネットに固定された上ヒンジ部材と、
前記扉の下部を回動自在に支持するために、前記キャビネットに固定された下ヒンジ部材と、
を有する冷蔵庫の扉のヒンジ構造において、
前記下ヒンジ部材は、
前記キャビネットにネジで固定される取り付け部材と、
前記取り付け部材から前方に突出した軸支持部と、
前記軸支持部から上方に突出した下ヒンジ軸と、
前記取り付け部材、又は、前記軸支持部から突出し、前記扉と係合する係合フックと、
前記係合フックを除く前記取り付け部材の前面、前記軸支持部の内側面、前記軸支持部の前面と、前記軸支持部の外側面を覆う少なくとも２のカバーと、
を有する冷蔵庫の扉のヒンジ構造。
【請求項２】
前記２つのカバーの中の第１のカバーは、前記取り付け部材の前面を覆う、
請求項１に記載の冷蔵庫の扉のヒンジ構造。
【請求項３】
前記２つのカバーの中の第２のカバーは、前記軸支持部の外側面を覆うと共に、前記下ヒンジ軸の後方にある前記軸支持部の上面も覆う、
請求項１又は２に記載の冷蔵庫の扉のヒンジ構造。
【請求項４】
前記第１のカバーは、前記取り付け部材の前面に加えて上面、内側面も覆う、
請求項１乃至３のいずれか一項に記載の冷蔵庫の扉のヒンジ構造。
【請求項５】
前記第１のカバーの下面は、開口している、
請求項２乃至４のいずれか一項に記載の冷蔵庫の扉のヒンジ構造。
【請求項６】
前記係合フックが前記取り付け部材の前面から突出し、
前記第１のカバーの前面に、前記係合フックが貫通するフック孔が開口している、
請求項２乃至５のいずれか一項に記載の冷蔵庫の扉のヒンジ構造。
【請求項７】
前記第１のカバーは、前記取り付け部材と離間している、
請求項２乃至６のいずれか一項に記載の冷蔵庫の扉のヒンジ構造。
【請求項８】
前記扉のストッパーが当接するために前記軸支持部にストッパー当接部が設けられ、
前記ストッパー当接部が、前記２つのカバーから露出している、
請求項１乃至７のいずれか一項に記載の冷蔵庫の扉のヒンジ構造。
【請求項９】
前記第１のカバーと前記第２のカバーとは、係合部によって嵌合している、
請求項２乃至８のいずれか一項に記載の冷蔵庫の扉のヒンジ構造。
【請求項１０】
前記第１のカバーは、前記軸支持部の内側面と前記軸支持部の前記前面も覆う、
請求項２乃至９のいずれか一項に記載の冷蔵庫の扉のヒンジ構造。
【請求項１１】
前記第１のカバーは、前記軸支持部の下面も覆う、
請求項２乃至１０のいずれか一項に記載の冷蔵庫の扉のヒンジ構造。
【請求項１２】
前記取り付け部材は、前記貯蔵室と、当該貯蔵室の下方に設けられた第２の貯蔵室との間の仕切部の前面にネジ止めされる、
請求項１乃至１１のいずれか一項に記載の冷蔵庫の扉のヒンジ構造。
【発明の詳細な説明】
【技術分野】
【０００１】
本発明の実施形態は、冷蔵庫の扉のヒンジ構造に関するものである。
【背景技術】
【０００２】
従来より、冷蔵庫の冷蔵室の扉は、ヒンジ構造により開閉自在であり、扉の上部と下部にそれぞれ上ヒンジ部材と下ヒンジ部材が設けられている。
【０００３】
下ヒンジ部材を冷蔵庫のキャビネットに取り付ける場合には、下ヒンジ軸が設けられている取り付け部材を、冷蔵室と野菜室の仕切部にネジ止めし、このネジ止めに用いるネジが冷蔵庫の前面に露出しないように、取り付け部材にカバーを被せている。
【先行技術文献】
【特許文献】
【０００４】
【特許文献１】特公平８−７００８号公報
【特許文献２】特開昭６３−２３３２８３号公報
【特許文献３】実公昭６２−２４６９号公報
【発明の概要】
【発明が解決しようとする課題】
【０００５】
従来、キャビネットに扉を取り付ける前に、カバーを取り付け部材に被せる。しかし、扉を取り付けて冷蔵庫が完成した後、扉の取り付け状態を調整するときに、カバーがあるため、取り付け部材の位置を調整できないという問題点があった。
【０００６】
そこで、本発明の実施形態は、上記問題点に鑑み、扉の取り付け後に取り付け部材にカバーを被せることができる冷蔵庫の扉のヒンジ構造を提供することを目的とする。
【課題を解決するための手段】
【０００７】
本実施形態は、冷蔵庫のキャビネットに設けられた貯蔵室の前面を開閉する扉の上部を回動自在に支持するために、前記キャビネットに固定された上ヒンジ部材と、前記扉の下部を回動自在に支持するために、前記キャビネットに固定された下ヒンジ部材と、を有する冷蔵庫の扉のヒンジ構造において、前記下ヒンジ部材は、前記キャビネットにネジで固定される取り付け部材と、前記取り付け部材から前方に突出した軸支持部と、前記軸支持部から上方に突出した下ヒンジ軸と、前記取り付け部材、又は、前記軸支持部から突出し、前記扉と係合する係合フックと、前記係合フックを除く前記取り付け部材の前面、前記軸支持部の内側面、前記軸支持部の前面と、前記軸支持部の外側面を覆う少なくとも２のカバーと、を有する冷蔵庫の扉のヒンジ構造である。
【図面の簡単な説明】
【０００８】
【図１】実施形態１の冷蔵庫の正面図である。
【図２】冷蔵室の右扉を開いた状態の拡大斜視図である。
【図３】２つのカバーを取り付け部材に被せようとしている状態の前方から見た分解斜視図である。
【図４】２つのカバーを取り付け部材に被せようとしている状態の後方から見た分解斜視図である。
【図５】２つのカバーを取り付け部材に被せた状態の下から見た斜視図である。
【図６】２つのカバーを取り付け部材に被せた状態の平面図である。
【図７】２つのカバーを取り付け部材に被せた状態の横断面図である。
【図８】図７におけるＡ−Ａ線断面図である。
【図９】実施形態２の２つのカバーを取り付け部材に被せた状態の一部切欠き平面図である。
【発明を実施するための形態】
【０００９】
一実施形態の冷蔵庫１０のヒンジ構造について図面に基づいて説明する。
【実施形態１】
【００１０】
実施形態１の冷蔵庫１０のヒンジ構造について図１〜図８に基づいて説明する。
【００１１】
（１）冷蔵庫１０の構造
冷蔵庫１０の構造について、図１に基づいて説明する。図１は、冷蔵庫１０の正面図である。
【００１２】
冷蔵庫１０のキャビネット１２は、内箱と外箱とを組み合わせたものであり、その間に断熱部材が挟まれ、断熱箱体を構成している。キャビネット１２には、上から順番に冷蔵室１４、野菜室１６、製氷室１８、大型の冷凍室２２が形成され、製氷室１８の右側には小型の冷凍室２０が形成されている。
【００１３】
冷蔵室１４には、観音開き式の扉２４，２６が設けられ、野菜室１６、製氷室１８、小型の冷凍室２０、大型の冷凍室２２にはそれぞれ引出し式の扉２８，３０，３２，３４が設けられている。
【００１４】
冷蔵室１４の観音開き式の扉２４，２６は、ヒンジ構造によって開閉し、左扉２４の上部には上ヒンジ部材３６が設けられ、下部には下ヒンジ部材３８が設けられている。また、右扉２６の上部には上ヒンジ部材４０が設けられ、下部には下ヒンジ部材４２が設けられている。以下の説明では、図２に示す右扉２６の下ヒンジ部材４２の構造について詳しく説明する。なお、左扉２４の下ヒンジ部材２８も左右対称で同じ構造を有しているので、その説明は省略する。
【００１５】
（２）下ヒンジ部材４２
下ヒンジ部材４２の構造について図３〜図８に基づいて説明する。下ヒンジ部材４２は、図３に示すように、金属製の取り付け部材４４と、取り付け部材４４に被せられるＡＢＳ樹脂製の第１のカバー４６と、第２のカバー４７を有している。
【００１６】
（２−１）取り付け部材４４
取り付け部材４４について、図３〜図５に基づいて説明する。
【００１７】
取り付け部材４４は、厚みのある横長の板状である。取り付け部材４４の右部の上部分からは、板状の軸支持部４８が前方に突出している。この軸支持部４８の先端部からは、下ヒンジ軸５０が上方に突出している。この軸支持部４８の前面右側には、後から説明するストッパー当接部５２が形成されている。板状の軸支持部４８は、前方に行くほど狭くなり、前面は半円形を構成し、この半円形の中心部より下ヒンジ軸５０が上方に突出している。一方、この半円形の前面右側に段部が形成され、前記ストッパー当接部５２となっている。
【００１８】
取り付け部材４４の左側、中央部、右側には、ネジ貫通孔５４，５６，５８がそれぞれ開口している。各ネジ貫通孔５４，５６，５８は横長の孔であって、ワッシャを有したネジ６０，６２，６４が貫通する。なお、右側のネジ貫通孔５８は、軸支持部４８下方に開口している。
【００１９】
左側のネジ貫通孔５４と中央部のネジ貫通孔５６の間の上部分からは、係合フック６６が前方に突出している。この係合フック６６は、後から説明する右扉２６の係合溝９２に係合するものであり、係合フック６６は、先端部がやや左側に折曲されフック形状を成している。また、係合フック６６の基部右側には、図７に示すように、突起６８が右側に突出し、この突起６８から基部に向かって係合凹部７０が形成されている。一方、右扉２６の下面には、図７に示すように、板状の扉固定部材９０がネジ止めされている。この扉固定部材９０には、屈曲した係合溝９２が設けられ、右扉２６を閉めた状態で、係合フック６６が係合溝９２と係合し、右扉２６が開放状態になることを防止する。
【００２０】
取り付け部材４４の後面には、図４に示すように、合成樹脂、又は、その他の材質により形成されたシート部材８４が接着剤によって貼り付けられている。シート部材８４を貼り付ける理由は、取り付け部材４４が金属製であり、キャビネット１２に取り付けた場合に滑る可能性があるため、その滑りを防止するためである。また、シート部材８４には、各ネジ貫通孔５４，５６，５８に対応する横長の孔が開口している。
【００２１】
（２−２）第１のカバー４６と第２のカバー４７
本実施形態における取り付け部材４４のカバーは、上記したように２つのカバーである第１のカバー４６と第２のカバー４７とより構成されている。第１のカバー４６と第２のカバー４７について説明する。
【００２２】
まず、第１のカバー４６について説明する。図３に示すように、第１のカバー４６は、取り付け部材４４の左側及び中央部を覆う第１のカバー本体４６１と、軸支持部４８を覆う軸カバー部４６２とより構成されている。
【００２３】
図３、図４に示すように、第１のカバー本体４６１は、取り付け部材４４にネジ止めされた左ネジ６０と中ネジ６２を覆う部材であって、直方体形状を成し、後面及び下面が開口し、前板７２、上板７４、左板７６から形成されている。図６、図７に示すように、第１のカバー本体４６１の横方向の寸法は、取り付け部材４４の左端部から、中ネジ６２が取り付けられる位置の右側までの寸法に合わせて形成されている。また、図８に示すように、第１のカバー４６の高さは、取り付け部材４４の高さとほぼ同じに形成されている。
【００２４】
図３に示すように、第１のカバー本体４６１の前板７２の中央部には、係合フック６６が貫通する長方形状のフック孔８０が開口している。
【００２５】
図８に示すように、第１のカバー本体４６１の上板７４の裏面の中央部、すなわち、係合フック６６と対応する位置には、係合フック６６の基部の曲面形状に対応して下方に突出したフック引込み部８２が設けられている。
【００２６】
図３〜図５に示すように、軸カバー部４６２は、第１のカバー本体４６１の右端部から延設されたものであり、軸下面４６３、軸壁面４６４、右カバー部４６７、右板７８を有する。軸下面４６３は、軸支持部４８の下面を覆う。軸壁面４６４は、軸下面４６３の内側面（左側面）と前面から立設され、軸支持部４８の内側面（左側面）から前面を覆う。右カバー部４６７は、軸下面４６３の後端部から下方に延設され、取り付け部材４４の右側にある右ネジ６４を覆う。右板７８は、右カバー部４６７の右端部から後方に延設され、取り付け部材４４の右側面を覆う。
【００２７】
次に、第２のカバー４７について説明する。第２のカバー４７は、上面板４７１と右側面板４７２とより構成されている。
【００２８】
上面板４７１は、下ヒンジ軸５０の後方にある軸支持部４８の上面を覆う。右側面板４７２は、軸支持部４８の外側面（右側面）を覆う。
【００２９】
また、図３に示すように、上面板４７１の左後端部には、係合突部４７３が突出し、第１のカバー本体４６１の上板７４の右側端部の下面に設けられた係合突部４６５と係合する。また、右側面板４７２の下面には係合突部４７４が左に向かって突出し、第１のカバー本体４６１の軸下面４６３に設けられた係合凹部４６６と係合する。係合突部４７３と係合突部４６５の係合、及び、係合突部４７４と係合凹部４６６の係合により、第１のカバー４６と第２のカバー４７とが嵌合する。
【００３０】
また、取り付け部材４４の軸支持部４８の前面右側のストッパー当接部５２に対応する位置にある第１のカバー本体４６１及び軸カバー部４６２は切り欠かれ、ストッパー当接部５２が露出する。
【００３１】
（３）下ヒンジ部材４２の固定作業
次に、作業者が、下ヒンジ部材４２をキャビネット１２に固定する作業について説明する。
【００３２】
まず、作業者は、冷蔵室１４と野菜室１６の間にある仕切部１５の前面に、取り付け部材４４を、左ネジ６０、中ネジ６２、右ネジ６４を用いてネジ止めする。この場合に、金属製の仕切部１５と取り付け部材４４の間には、上記で説明したシート部材８４が介在され、取り付け部材４４が仕切部１５に対し滑るのを防止している。なお、この作業におけるネジ止めは仮止めである。
【００３３】
次に、作業者は、右扉２６を取り付け部材４４の下ヒンジ軸５０に嵌め込み、続いて上ヒンジ部材３６を取り付けることにより、右扉２６が回動自在に取り付けられる。
【００３４】
次に、作業者は、左扉２４も同様にして取り付け部材４４を取り付ける。
【００３５】
次に、作業者は、左扉２４と右扉２６を開閉させ、両扉２４，２６が完全にピッタリと閉まるように、下ヒンジ部材４２の取り付け位置を調整する。この場合に、左ネジ６０，中ネジ６２，右ネジ６４は、横長のネジ貫通孔５４，５６，５８を貫通しているため、両扉２４，２６がピッタリ閉まるように、作業者は、取り付け部材４４の位置を横方向及び縦方向にずらして調整し、調整後に左ネジ６０、中ネジ６２、右ネジ６４を完全に固定する。なお、作業者が、左扉２４と右扉２６がピッタリと閉まっているか否かを検査するときには、図７に示すように、係合フック６６が係合溝９２に係合しているか、また、右扉２６を開いたときに、取り付け部材４４の軸支持部４８の右側にあるストッパー当接部５２に、扉２８の下部に設けられた不図示のストッパーが当たり、右扉２６が必要以上に回動しないようになっているかもチェックする。
【００３６】
次に、作業者は、図３、図４に示すように、係合フック６６の位置に、第１のカバー４６のフック孔８０を位置させ、第１のカバー４６を取り付け部材４４に前面から被せる。この場合に、第１のカバー本体４６１が、取り付け部材４４の左側と中央部を覆い、軸カバー部４６２が軸支持部４８を覆う。作業者が第１のカバー４６を被せるときは、既に右扉２６と野菜室１６の引出し式の扉２８が取り付けられ、仕切部１５は右扉２６と引出し式の扉２８との間の狭い空間であるが、作業者は、第１のカバー４６を取り付け部材４４に前面から被せるだけであるため、簡単に被せることができる。この被せるときに、第１のカバー４６のフック引込み部８２が、図８に示すように、係合フック６６の上面の湾曲した基部に沿って引き込まれ、被せ易くなる。また、フック孔８０の縁部が、図７に示すように、係合フック６６の突起６８を越えて、係合凹部７０に至る。これによって、被せた第１カバー４６の前方への抜脱を防止できる。さらに、第１のカバー４６の前後方向の長さは、図７に示すように、取り付け部材４４の厚みよりも大きく形成され、第１のカバー４６を被せても、前板７２と取り付け部材４４とは離間している。
【００３７】
次に、作業者は、図３、図４に示すように、第２カバー４７を軸支持部４８の外側（右側）より被せる。この場合に、軸支持部４８の右側は、開いた空間であるため簡単に第２カバー４７を被せることができる。また、第２カバー４７の上面板４７１が軸支持部４８の下ヒンジ軸５０の後方に位置させ、上面板４７１の左後端部にある係合突部４７３と、第１のカバー４６の前板７２に設けられた係合突部４６５を係合させると共に、第２カバー４７の右側面板４７２に設けられた係合突部４７４を、軸カバー部４６２に設けられた係合凹部４６６と係合させる。これによつて、第１のカバー４６と第２カバー４７とが互いに嵌合する。そして、この２つのカバー４６，４７が嵌合して固定されることにより、第１のカバー４６が取り付け部材４４から外れることがなく、また、第２カバー４７も軸支持部４８から外れることがない。一方、ストッパー当接部５２は、軸カバー部４６２と第２カバー４７から露出している。
【００３８】
上記固定作業を行うことにより、第１のカバー４６と第２カバー４７によって取り付け部材４４及び軸支持部４８が覆われ、下ヒンジ軸５０とストッパー当接部５２のみが露出する。
【００３９】
（４）効果
以上により本実施形態の冷蔵庫１０のヒンジ構造であると、図３、図４に示すように、取り付け部材４４を仕切部１５にネジ止めした後、右扉２６を取り付け、左扉２４と右扉２６がピッタリと閉まるように調整し、その後に第１のカバー４６と第２のカバー４７を被せることができる。そのため、作業者が従来のように左右扉２４，２６の位置を調整し難いということがない。
【００４０】
また、図３、図４に示すように、第１のカバー４６は取り付け部材４４の前面から被せるだけであるため、右扉２６と引出し式の扉２８があっても、その狭い空間の間で、作業者は第１のカバー４６を簡単に被せることができる。
【００４１】
また、図６、図７に示すように、係合フック６６の突起６８と係合凹部７０が、第１のカバー４６フック孔８０の縁部に係合するため、被せた第１のカバー４６の前方への抜脱を防止できる。
【００４２】
また、図１、図２に示すように、第１のカバー４６は、左ネジ６０，中ネジ６２，右ネジ６４を覆うため、冷蔵庫１０を正面から見ても外観上優れたものとなる。
【００４３】
また、図７に示すように、第１のカバー４６の前後方向の長さは、取り付け部材４４の厚みよりも大きく形成され、第１のカバー４６の前板７２と取り付け部材４４とは離間している。そのため、右扉２６を閉めた衝撃で、第１のカバー４６が後方に押されても、取り付け部材４４にぶつかることなく、第１のカバー４６が破損しない。
【００４４】
また、図３、図４に示すように、第２のカバー４７は、軸支持部４８の右側より被せるだけであるため、右扉２６と引出し式の扉２８があっても、作業者は、第１のカバー４６が取り付けられた軸支持部４８に第２のカバー４７を簡単に被せることができる。
【００４５】
また、図３、図４に示すように、第１のカバー４６と第２のカバー４７は、係合突部４７３と係合突部４６５、及び、係合突部４７４と係合凹部４６６の係合により嵌合し、外れることがない。そのため、２つのカバー４６，４７は取り付け部材４４からも外れることがない。
【００４６】
また、図１、図２、図５に示すように、第１のカバー４６の下面が開口しているため、引出し式の扉２８の上面とクリアランスを十分に取ることができる。
【実施形態２】
【００４７】
次に、実施形態２の冷蔵庫１０のヒンジ構造について図９に基づいて説明する。
【００４８】
実施形態１の取り付け部材４４においては、係合フック６６が取り付け部材４４の前面から前方に突出していたが、本実施形態では、図９に示すように、軸支持部４８の左側面から突出している。
【００４９】
そのため、本実施形態では、第１のカバー本体４６１にフック孔８０を設けるのでなく、軸カバー部４６２の軸壁面４６４にフック孔８０を開口する。
【００５０】
作業者が、第１のカバー４６を取り付け部材４４に被せるには、実施形態１のように前面からではなく、係合フック６６がフック孔８０に挿入されるように、第１のカバー４６を左側面から被せる。
【変更例】
【００５１】
上記実施形態では、観音開き式の扉２４，２６における下ヒンジ部材３８，４２で説明したが、これに限らず１枚の扉のヒンジ構造における下ヒンジ部材に上記実施形態の下ヒンジ部材を適用してもよい。
【００５２】
また、上記実施形態では、カバーを第１のカバー４６と第２のカバー４７より構成したたが、これに限らず３つ以上のカバーから構成してもよい。
【００５３】
また、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００５４】
１０・・・冷蔵庫、１２・・・キャビネット、１４・・・冷蔵室、１５・・・仕切部、２４・・・左扉、２６・・・右扉、４２・・・下ヒンジ部材、４４・・・取り付け部材、４６・・・第１のカバー、４７・・・第２のカバー、４８・・・軸支持部、５０・・・下ヒンジ軸、６０・・・左ネジ、６２・・・中ネジ、６４・・・右ネジ、６６・・・係合フック、６８・・・突起、７０・・・係合凹部、８０・・・フック孔
【図１】
2014047978.tif 000003
【図２】
2014047978.tif 000004
【図３】
2014047978.tif 000005
【図４】
2014047978.tif 000006
【図５】
2014047978.tif 000007
【図６】
2014047978.tif 000008
【図７】
2014047978.tif 000009
【図８】
2014047978.tif 000010
【図９】
2014047978.tif 000011